【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
ユーザに対して予め設定された送出条件に基づいて周期的にメッセージを送出するメッセージ送出手段と、
前記メッセージ送出手段により送出されたメッセージに対する前記ユーザからの返信を確認する返信確認手段と、
前記返信確認手段により前記返信が確認されない場合、予め設定された連絡先への送信を実行するアクション実行手段と、
を有し、前記返信確認手段は、前記メッセージ送出手段によるメッセージ送出からの経過時間を計時するタイマを有し、前記タイマによる経過時間が所定時間に達した場合、前記ユーザからの返信が無いと判定することを特徴とする緊急通報システム。
【請求項２】
前記送出条件と、前記アクションと、からなるユーザ設定情報を格納するユーザ設定情報格納手段を有し、
前記メッセージ送出手段及び前記アクション実行手段は、前記ユーザ設定情報格納手段に格納されている前記ユーザ設定情報に基づいて処理を実行することを特徴とする請求項１記載の緊急通報システム。
【請求項３】
前記アクション実行手段は、前記ユーザ設定情報格納手段に格納されている前記アクションを実行、または、連絡先端末に前記アクションを実行させるための情報の送信を行うことを特徴とする請求項２記載の緊急通報システム。
【請求項４】
前記ユーザ設定情報は、前記ユーザあるいはそれとは異なる他者から任意に設定されることを特徴とする請求項１から３のいずれか１項に記載の緊急通報システム。
【請求項５】
前記ユーザ設定情報は、端末から任意に設定されることを特徴とする請求項１から４のいずれか１項に記載の緊急通報システム。
【請求項６】
ユーザに対して予め設定された送出条件に基づいてアクション実行装置からメッセージを周期的に送出するステップと、
前記メッセージ送出ステップにより送出されたメッセージに対する前記ユーザからの返信を前記アクション実行装置が確認する返信確認ステップと、
前記返信確認ステップにより前記返信が確認されない場合、前記アクション実行装置が、予め設定された連絡先への送信を実行するアクション実行ステップと、
を有し、前記返信確認ステップは、前記メッセージ送出ステップによるメッセージ送出からの経過時間を計時し、前記経過時間が所定時間に達した場合、前記ユーザからの返信が無いと判定することを特徴とする通信方法。
【請求項７】
前記送出条件と、前記アクションと、からなるユーザ設定情報を前記アクション実行装置が格納するユーザ設定情報格納ステップを有し、
前記メッセージ送出ステップ及び前記アクション実行ステップは、前記ユーザ設定情報格納ステップにより格納されている前記ユーザ設定情報に基づいて前記アクション実行装置が処理を実行することを特徴とする請求項６記載の通信方法。
【請求項８】
前記アクション実行ステップは、前記アクション実行装置が、前記ユーザ設定情報格納ステップにより格納されている前記アクションを実行、または、連絡先端末に前記アクションを実行させるための情報の送信を行うことを特徴とする請求項７記載の通信方法。
【請求項９】
前記ユーザ設定情報は、前記ユーザあるいはそれとは異なる他者から任意に設定されることを特徴とする請求項６から８のいずれか１項に記載の通信方法。
【請求項１０】
前記ユーザ設定情報は、端末から任意に設定されることを特徴とする請求項６から９のいずれか１項に記載の通信方法。
【請求項１１】
ユーザに対して予め設定された送出条件に基づいてメッセージを周期的に送出するメッセージ送出手段と、
前記メッセージ送出手段により送出されたメッセージに対する前記ユーザからの返信を確認する返信確認手段と、
前記返信確認手段により前記返信が確認されない場合、予め設定された連絡先への送信を実行するアクション実行手段と、
を有し、前記返信確認手段は、前記メッセージ送出手段によるメッセージ送出からの経過時間を計時するタイマを有し、前記タイマによる経過時間が所定時間に達した場合、前記ユーザからの返信が無いと判定することを特徴とするアクション実行装置。
【請求項１２】
前記送出条件と、前記アクションと、からなるユーザ設定情報を格納するユーザ設定情報格納手段を有し、
前記メッセージ送出手段及び前記アクション実行手段は、前記ユーザ設定情報格納手段に格納されている前記ユーザ設定情報に基づいて処理を実行することを特徴とする請求項１１記載のアクション実行装置。
【請求項１３】
前記アクション実行手段は、前記ユーザ設定情報格納手段に格納されている前記アクションを実行、または、連絡先端末に前記アクションを実行させるための情報の送信を行うことを特徴とする請求項１２記載のアクション実行装置。
【請求項１４】
前記ユーザ設定情報は、前記ユーザあるいはそれとは異なる他者から任意に設定されることを特徴とする請求項１１から１３のいずれか１項に記載のアクション実行装置。
【請求項１５】
前記ユーザ設定情報は、端末から任意に設定されることを特徴とする請求項１１から１４のいずれか１項に記載のアクション実行装置。
【請求項１６】
ユーザとアクション実行装置とが接続されて成る通信システムにおいて、
前記アクション実行装置に、前記ユーザに対して予め設定された送出条件に基づいて周期的にメッセージを送出するメッセージ送出処理と、
前記メッセージ送出処理により送出されたメッセージに対する前記ユーザからの返信を確認する返信確認処理と、
前記返信確認処理により前記返信が確認されない場合、予め設定された連絡先への送信を実行するアクション実行処理と、
を実行させ、前記返信確認処理は、前記メッセージ送出処理によるメッセージ送出からの経過時間を計時し、前記経過時間が所定時間に達した場合、前記ユーザからの返信が無いと判定することを特徴とするアクション実行装置のプログラム。
【請求項１７】
前記アクション実行装置に、前記送出条件と、前記アクションと、からなるユーザ設定情報を格納するユーザ設定情報格納処理を実行させ、
前記メッセージ送出処理及び前記アクション実行処理は、前記ユーザ設定情報格納処理により格納されている前記ユーザ設定情報に基づいて処理を実行することを特徴とする請求項１６記載のアクション実行装置のプログラム。
【請求項１８】
前記アクション実行処理は、前記ユーザ設定情報格納処理により格納されている前記アクションを実行、または、連絡先端末に前記アクションを実行させるための情報の送信を行うことを特徴とする請求項１７記載のアクション実行装置のプログラム。
【請求項１９】
前記ユーザ設定情報は、前記ユーザあるいはそれとは異なる他者から任意に設定されることを特徴とする請求項１６から１８のいずれか１項に記載のアクション実行装置のプログラム。
【請求項２０】
前記ユーザ設定情報は、端末から任意に設定されることを特徴とする請求項１６から１９のいずれか１項に記載のアクション実行装置のプログラム。
【手続補正２】
【補正対象書類名】明細書
【補正対象項目名】００１０
【補正方法】変更
【補正の内容】
【００１０】
上記課題を解決するために、本発明は、ユーザに対して予め設定された送出条件に基づいて周期的にメッセージを送出するメッセージ送出手段と、
前記メッセージ送出手段により送出されたメッセージに対する前記ユーザからの返信を確認する返信確認手段と、
前記返信確認手段により前記返信が確認されない場合、予め設定された連絡先への送信を実行するアクション実行手段と、
を有し、前記返信確認手段は、前記メッセージ送出手段によるメッセージ送出からの経過時間を計時するタイマを有し、前記タイマによる経過時間が所定時間に達した場合、前記ユーザからの返信が無いと判定する緊急通報システムを提供する。
【手続補正３】
【補正対象書類名】明細書
【補正対象項目名】００１１
【補正方法】変更
【補正の内容】
【００１１】
また、本発明は、ユーザに対して予め設定された送出条件に基づいてアクション実行装置からメッセージを周期的に送出するステップと、
前記メッセージ送出ステップにより送出されたメッセージに対する前記ユーザからの返信を前記アクション実行装置が確認する返信確認ステップと、
前記返信確認ステップにより前記返信が確認されない場合、前記アクション実行装置が、予め設定された連絡先への送信を実行するアクション実行ステップと、
を有し、前記返信確認ステップは、前記メッセージ送出ステップによるメッセージ送出からの経過時間を計時し、前記経過時間が所定時間に達した場合、前記ユーザからの返信が無いと判定するを提供する。
【手続補正４】
【補正対象書類名】明細書
【補正対象項目名】００１２
【補正方法】変更
【補正の内容】
【００１２】
また、本発明は、ユーザに対して予め設定された送出条件に基づいてメッセージを周期的に送出するメッセージ送出手段と、
前記メッセージ送出手段により送出されたメッセージに対する前記ユーザからの返信を確認する返信確認手段と、
前記返信確認手段により前記返信が確認されない場合、予め設定された連絡先への送信を実行するアクション実行手段と、
を有し、前記返信確認手段は、前記メッセージ送出手段によるメッセージ送出からの経過時間を計時するタイマを有し、前記タイマによる経過時間が所定時間に達した場合、前記ユーザからの返信が無いと判定するアクション実行装置を提供する。
【手続補正５】
【補正対象書類名】明細書
【補正対象項目名】００１３
【補正方法】変更
【補正の内容】
【００１３】
また、本発明は、ユーザとアクション実行装置とが接続されて成る通信システムにおいて、
前記アクション実行装置に、前記ユーザに対して予め設定された送出条件に基づいて周期的にメッセージを送出するメッセージ送出処理と、
前記メッセージ送出処理により送出されたメッセージに対する前記ユーザからの返信を確認する返信確認処理と、
前記返信確認処理により前記返信が確認されない場合、予め設定された連絡先への送信を実行するアクション実行処理と、
を実行させ、前記返信確認処理は、前記メッセージ送出処理によるメッセージ送出からの経過時間を計時し、前記経過時間が所定時間に達した場合、前記ユーザからの返信が無いと判定するアクション実行装置のプログラムを提供する。